(57)【特許請求の範囲】
【請求項１】
前面パネルを備えた本体と、室内機の主電源をオンオフするためのスイッチユニットとを設けた空気調和機であって、
前記スイッチユニットは、スライド式のツマミとスイッチ本体とで構成された電源スイッチと、前記電源スイッチを収容するスイッチケースとを備え、
前記スイッチケースは、底面と天面と下側面と上側面と左側面と右側面とからなる箱状に形成され、
前記スイッチケースには、前記ツマミがスライド可能な空間を有し、
前記空間は、前記スイッチ本体の前記ツマミを有する側面と、前記ツマミを有する側面に対向する前記スイッチケースの下側面との間に形成され、
前記スイッチケースは、前記ツマミと前記空間に臨むように前記天面に形成された開口と、前記スイッチ本体を前記開口とは異なる位置に配置し、前記開口の近傍で前記スイッチ本体側に、前記前面パネルに向かって前記天面から立設するツメとを備え、
前記開口には、前記開口を覆い、前記スイッチユニットを外部から操作するためのキートップが設けられ、
前記キートップは、前記開口から挿入され前記ツマミを挟持する挟持部と、前記挟持部と一体的に前記開口に沿ってスライド可能に形成される操作部と、前記操作部の前記スイッチ本体側に形成されたフランジとを備え、
前記フランジは、前記ツメにスライド可能に引っ掛けられ、
前記前面パネルは、前記操作部の表面積よりも小さく前記操作部の一部を露出させるための操作窓を備え、
前記スイッチユニットが前記本体の前面下方に取付けられ、
前記前面パネルが装着され、前記フランジと前記ツメとが前記前面パネルで覆われるとともに前記操作部が前記操作窓で保持されることを特徴とする空気調和機。
【発明の詳細な説明】
【技術分野】
【０００１】
本発明は、空気調和機の室内機の筺体に設けられる電源スイッチに関する。
【背景技術】
【０００２】
従来、消費電力を節約する目的で空気調和機を使用しない時は、室内機の電源プラグを電源コンセントから抜くことが行われる場合があったが、電源コンセントが必ずしも容易に抜き差しできる場所にあるとは限らない。このため、空気調和機の室内機の筺体に電源スイッチを設け、室内機の電源プラグを抜き差しする替わりに、室内機の主電源をオンオフする電源スイッチが知られている。この種の電源スイッチが設けられた室内機の一例として、電源スイッチが電装品箱の前方に設けられた取付部に取付けられ、筺体に備えられた前面パネルで取付部を覆うようにした室内機がある（例えは、特許文献１参照）。この室内機に設けられた電源スイッチは、電源スイッチの本体前面から突出し、この電源スイッチを操作するつまみを備え、このつまみが前面パネルに形成された開口から直接突出するようになっている。
【０００３】
このように構成された室内機では、室内機の電源プラグを電源コンセントから抜き差しすることなく、前面パネルの外側から電源スイッチに備えられたつまみを操作することで主電源を容易にオンオフすることができるようになっている。
【０００４】
しかしながら、電源スイッチに備えられたつまみは、前面パネルに形成された開口から直接突出するようになっているため、前面パネルの外観と合わず、室内機の美観を損ねてしまったり、挿通孔とつまみの形によっては、ユーザがつまみを操作する方向がわからなかったりするという問題点があった。このような室内機の美観を損ねてしまったり、つまみを操作する方向がわからなかったりする問題点を解決するために、電源スイッチに備えられたつまみにキートップを取付けて前面パネルの外観に合わせ、つまみを操作する方向がわかるようにすることが考えられる。
【０００５】
ところが、単にキートップを電源スイッチに備えられたつまみに取付けただけでは、キートップが前面パネルの下方、つまり、室内機の下方に向いているため、キートップが室内に脱落したり、キートップの操作中に外れたりするおそれがあるという問題点があった。
【先行技術文献】
【特許文献】
【０００６】
【特許文献１】特開２００１−１７３９８８号公報
【発明の概要】
【発明が解決しようとする課題】
【０００７】
本発明は上記問題点に鑑み、前面パネルの外側から電源スイッチに備えられたつまみに取付けられたキートップを操作することで、電源スイッチを容易にオンオフすることができるとともに、キートップが脱落したり外れたりするのを防ぐことができる空気調和機を提供することを目的とする。
【課題を解決するための手段】
【０００８】
上記課題を解決するため、本発明の空気調和機は、前面パネルを備えた本体と、室内機の主電源をオンオフするためのスイッチユニットとが設けられている。スイッチユニットは、スライド式のツマミとスイッチ本体とで構成された電源スイッチと、電源スイッチを収容するスイッチケースとを備えている。スイッチケースは、底面と天面と下側面と上側面と左側面と右側面とからなる箱状に形成されている。スイッチケースには、ツマミがスライド可能な空間を有している。空間は、スイッチ本体のツマミを有する側面と、ツマミを有する側面に対向するスイッチケースの下側面との間に形成されている。スイッチケースは、ツマミと空間に臨むように天面に形成された開口と、スイッチ本体を開口とは異なる位置に配置し、開口の近傍でスイッチ本体側に、前面パネルに向かって天面から立設するツメとを備えている。開口には、開口を覆い、スイッチユニットを外部から操作するためのキートップが設けられている。キートップは、開口から挿入されツマミを挟持する挟持部と、挟持部と一体的に開口に沿ってスライド可能に形成される操作部と、操作部のスイッチ本体側に形成されたフランジとを備えている。フランジは、ツメにスライド可能に引っ掛けられている。前面パネルは、操作部の表面積よりも小さく操作部の一部を露出させるための操作窓を備えている。スイッチユニットが本体の前面下方に取付けられている。前面パネルが装着され、フランジとツメとが前面パネルで覆われるとともに操作部が操作窓で保持されている。
【発明の効果】
【０００９】
本発明の空気調和機によれば、スイッチケースは、ツマミと空間に臨むように天面に形成された開口と、スイッチ本体を開口とは異なる位置に配置し、開口の近傍でスイッチ本体側に、前面パネルに向かって天面から立設するツメとを備え、キートップは、開口から挿入されツマミを挟持する挟持部と、挟持部と一体的に開口に沿ってスライド可能に形成される操作部と、操作部のスイッチ本体側に形成されたフランジとを備えており、フランジは、ツメにスライド可能に引っ掛けられている。さらに、操作部の表面積よりも小さく操作部の一部を露出させるための操作窓を備えた前面パネルが装着され、フランジとツメとが前面パネルで覆われるとともに操作部が操作窓で保持されている。このような構成になっているため、前面パネルの外側から電源スイッチに備えられたツマミを挟持するキートップを操作することで、電源スイッチを容易にオンオフすることができるとともに、キートップが脱落したり外れたりするのを防ぐことができる。また、スイッチケースは、スッチ本体と、ツマミと、ツマミがスライドする空間とを、開口を有して覆っており、開口をキートプで覆うことにより、埃や水滴の侵入を防ぐことができる。
【図面の簡単な説明】
【００１０】
【図１】本発明による空気調和機を示す外観斜視図である。
【図２】空気調和機の開閉パネルと前面パネルを取外した状態を示す部分斜視図である。
【図３】空気調和機の開閉パネルと電装品箱を取外した状態を示す要部断面図である。
【図４】電源スイッチのツマミをキートップで挟持する状態を説明するための分解斜視図である。
【図５】電源スイッチのツマミをキートップで挟持する状態を説明するための分解斜視図である。
【図６】空気調和機のスイッチユニット付近を示す要部拡大断面図である。
【発明を実施するための形態】
【００１１】
以下、本発明の実施形態を添付図面に基づき詳細に説明する。本発明による空気調和機は、図１乃至図３に示すように、壁掛型の室内機１であって、前面パネル１１やベース１２などを備えた本体１０と、室内機１の主電源をオンオフするためのスイッチユニット２０とが設けられている。前面パネル１１は、ベース１２に装着され、ベース１２やベース１２の上部に取付けられた電装品箱１３を覆っている。ベース１２の内側には、熱交換器１４、クロスフローファン１５や上下風向板１６などの構成部品が取付けられている。
【００１２】
スイッチユニット２０は、箱状に形成され、本体１０に備えられたベース１２の前面下方に取付けられている。ベース１２の前面下方には、スイッチユニット２０を取付けるための取付部１２０が形成されている。取付部１２０は、前面パネル１１に平行な底面１２１と、底面１２１から直角に延びる２つのツメ１２２、１２３とを備えている。取付部１２０には、底面１２１にスイッチユニット２０の底面側が当接され、２つのツメ１２２、１２３にスイッチユニット２０の天面側が引っ掛けられた状態で、スイッチユニット２０が取付けられている。スイッチユニット２０は直方体状であり、このため、スイッチユニット２０の天面も前面パネル１１に平行な状態となっている。
【００１３】
スイッチユニット２０には、スイッチユニット２０を外部から操作するためのキートップ３０が設けられている。キートップ３０は、前面パネル１１の前面下方に形成された操作窓１１０から一部が露出され、前面パネル１１の外部からキートップ３０を操作できるようになっている。キートップ３０を操作することにより、スイッチユニット２０の内部に配置された後述する電源スイッチをオンオフするようになっている。
【００１４】
次に、本発明の特徴部分であるベース１２の取付部１２０に取付けられたスイッチユニット２０とスイッチユニット２０の近傍の構造について図２および図４乃至図６を用いて具体的に説明する。図４乃至図６に示すように、スイッチユニット２０は、直方体状のスイッチ本体２１０と、スイッチ本体２１０の下側面２１０ａから突出し、スイッチ本体２１０の左右方向にスライドするスライド式のツマミ２１１と、スイッチ本体２１０の上側面２１０ｂから突出する接続端子２１２とで構成された電源スイッチ２１と、接続端子２１２に接続される接続端子２２０が一端に付いたケーブル２２と、電源スイッチ２１とケーブル２２を収容する箱状のスイッチケース２３とを備えている。
【００１５】
電源スイッチ２１は、室内機１の主電源をオンオフするものであり、電源スイッチ２１をオフすることにより、室内機１へのケーブル２２によるＡＣ１００Ｖの電源の供給を断って、消費電力を節約できるようになっている。
スイッチケース２３は、図５および図６に示すように、底面２３０と下側面２３１と上側面２３２と左側面２３３と右側面２３４とを形成するケースＣ１と、このケースＣ１の開放端を覆う天面２３５を形成するカバーＣ２とで構成されている。スイッチケース２３には、底面２３０と天面２３５との間に、下側面２３１から上側面２３２に向かって、電源スイッチ２１のツマミ２１１、スイッチ本体２１０、接続端子２１２、ケーブル２２が順に配置されている。ケーブル２２は、図２および図５に示すように、スイッチケース２３に形成された引出口２３８から外部に引出されている。
【００１６】
スイッチケース２３には、ツマミ２１１が左右方向にスライド可能な空間Ａとケーブル２２が収容可能な空間Ｂとを有している。空間Ａは、スイッチ本体２１０のツマミ２１１を有する下側面２１０ａと、この下側面２１０ａに対向するスイッチケース２３の下側面２３１との間に形成されている。空間Ｂは、スイッチ本体２１０の接続端子２１２を有する上側面２１０ｂと、この上側面２１０ｂに対向するスイッチケース２３の上側面２３２との間に形成されている。スイッチケース２３の天面２３５上には、図５および図６に示すように、ツマミ２１１と空間Ａに臨むように左右方向に延びた長方形状の開口２３６が形成されている。スイッチ本体２１０は、スイッチケース２３の開口２３６とは異なる位置で開口２３６からみて空間Ｂ側に配置されている。また、スイッチケース２３の天面２３５上には、開口２３６の近傍でスイッチ本体２１０側に、前面パネル１１に向かって天面２３５から立設するＬ字状のツメ２３７が形成されている。ツメ２３７は開口２３６側の方向に向いている。
【００１７】
キートップ３０は、図６に示すように、ベース１２にスイッチユニット２０が取付けられ、前面パネル１１がベース１２に装着された際、開口２３６から挿入されてツマミ２１１を挟持する一対の挟持部３１と、挟持部３１と一体的に開口２３６に沿って左右方向にスライド可能に形成された操作部３２と、操作部３２のスイッチ本体２１０側に形成されたフランジ３３と、操作部３２の前面パネル１１側に形成されユーザが実際に操作する突起部３４とを備えている。挟持部３１は、ツマミ２１１に直交する方向からツマミ２１１を挟持している。操作部３２は、スイッチケース２３の天面２３５に沿う方向に挟持部３１に対して直交するように形成されている。突起部３４は、図１および図６に示すように、操作部３２から上下方向に延びる突起になっており、操作窓１１０に対して垂直に突出されている。このため、ユーザが突起部３４を摘まんで左右方向にスライドできることがわかるようになっている。
【００１８】
操作部３２に形成されたフランジ３３は、スイッチケース２３の天面２３５に形成されたツメ２３７に左右方向にスライド可能に引っ掛けられている。操作部３２のスイッチ本体２１０側でフランジ３３よりも内側には、スリット３５が形成されている。スリット３５の形成によりフランジ３３を撓み易くし、挟持部３１でツマミ２１１を挟持した状態でフランジ３３をツメ２３７に引っ掛け易くしている。
【００１９】
前面パネル１１に備えられた操作窓１１０は、操作部３２の表面積よりも小さい窓になっており、図６に示すように、ベース１２にスイッチユニット２０が取付けられ、前面パネル１１がベース１２に装着された際、操作窓１１０で操作部３２が保持されるようになっている。操作部３２が操作窓１１０で保持された状態で、ツメ２３７、フランジ３３およびスリット３５は、操作窓１１０から露出することなく前面パネル１１で覆われている。突起部３４は、操作窓１１０から前面パネル１１の外面に沿う高さで露出されている。このように、前面パネル１１でツメ２３７、フランジ３３およびスリット３５が覆われ、操作窓１１０から突起部３４が露出しているため、前面パネル１１の外側から見て室内機１の美観を損なわず、ユーザが操作部３２のスライド方向を誤ることなく操作することが可能である。また、操作窓１１０に露出される突起部３４を摘まんで左右方向にスライドさせることで、前面パネル２０の外側から電源スイッチ２１を容易にオンオフすることが可能である。
【００２０】
上述のスイッチケース２３は、図５および図６に示すように、スイッチケース２３のケースＣ１は、樹脂ケースＣ１０と樹脂ケースＣ１０を覆う板金ケースＣ１１とから構成され、スイッチケース２３のカバーＣ２は、樹脂カバーＣ２０とキートップ３０周辺を除く樹脂カバーＣ２０を覆う板金カバーＣ２１とから構成されている。このように、スイッチケース２３は、樹脂を板金で覆う二重構造になっており、スイッチケース２３内への埃や水滴などの侵入を防ぎ、電源スイッチ２１やケーブル２２を保護するようになっている。
【００２１】
以上説明してきた本発明の空気調和機によれば、スイッチケース２３は、ツマミ２１１と空間Ａに臨むように形成された開口２３６と、開口２３６の近傍でスイッチ本体２１０側に形成されたツメ２３７とを備えている。キートップ３０は、開口２３６から挿入されツマミ２１１を挟持する一対の挟持部３１と、挟持部３１と一体的に開口２３６に沿って左右方向にスライド可能に形成される操作部３２と、操作部３２のスイッチ本体２１０側に形成されたフランジ３３とを備えている。そして、フランジ３３は、ツメ２３７に左右方向にスライド可能に引っ掛けられている。さらに、操作部３２の表面積よりも小さく操作部３２の一部を露出させるための操作窓１１０を備えた前面パネル１１が装着され、フランジ３３とツメ２３７とが前面パネル１１で覆われるとともに、操作部３２が操作窓１１０で保持されている。
【００２２】
以上説明してきた構造によって、スイッチユニット２０に装着されたキートップ３０が前面パネル１１から露出されるため、前面パネル１１の外側から電源スイッチ２１に備えられたツマミ２１１を挟持するキートップ３０を操作することで、電源スイッチ２１を容易にオンオフすることができるとともに、キートップ３０が脱落したり外れたりするのを防ぐことができる。そして、具体的な効果として、フランジ３３がツメ２３７に左右方向にスライド可能に引っ掛けられ、かつ、挟持部３１でツマミ２１１を挟持するようになっているため、前面パネル１１が装着された状態でなくても、キートップ３０が脱落するのを防ぐことができる。さらに、フランジ３３とツメ２３７とが前面パネル１１で覆われるとともに操作部３２が操作窓１１０で保持されているため、前面パネル１１の外観を損なうことなく、キートップ３０が脱落したり、キートップ３０を操作中にキートップ３０が外れたりするのを防ぐことができる。
【００２３】
なお、本実施形態では、スイッチケース２３の天面２３５には、開口２３６の近傍でスイッチ本体２１０側にツメ２３７を形成し、キートップ３０に備えられた操作部３２のスイッチ本体２１０側にフランジ３３を形成するようにしたが、本発明はこれに限らず、スイッチケース２３の天面２３５に、開口２３６の近傍でスイッチ本体２１０側とは逆側にツメを形成し、キートップ３０に備えられた操作部３２のスイッチ本体２１０側とは逆側にフランジを形成するようにしてもよい。また、スイッチ本体２１０側とその逆側に両側にツメとフランジをそれぞれ形成するようにしてもよい。
【００２４】
また、本実施形態では、スイッチユニット２０とスイッチユニット２０に設けられるキートップ３０とを、前面パネル１１とベース１２との間の小スペースに収めるため、スイッチユニット２０に備えられた電源スイッチ２１のツマミ２１１に直交する方向から、キートップ３０に備えられた挟持部３１でツマミ２１１を挟持するようにしたが、本発明はこれに限らず、前面パネル１１とベース１２との間にスペースがある場合には、スイッチユニットに備えられた電源スイッチのツマミの軸方向から、キートップに備えられた挟持部でツマミを挟持するようにしてもよい。
【符号の説明】
【００２５】
１  室内機
１０  本体
１１  前面パネル
１１０  操作窓
１２  ベース
１２０  取付部
１２１  底面
１２２、１２３  ツメ
１３  電装品箱
１４  熱交換器
１５  クロスフローファン
１６  上下風向板
２０  スイッチユニット
２１  電源スイッチ
２１０  スイッチ本体
２１０ａ  下側面
２１０ｂ  上側面
２１１  ツマミ
２１２  接続端子
２２  ケーブル
２２０  接続端子
２３  スイッチケース
２３０  底面
２３１  下側面
２３２  上側面
２３３  左側面
２３４  右側面
２３５  天面
２３６  開口
２３７  ツメ
２３８  引出口
３０  キートップ
３１  挟持部
３２  操作部
３３  フランジ
３４  突起部
３５  スリット
Ａ、Ｂ  空間
Ｃ１  ケース
Ｃ１０  樹脂ケース
Ｃ１１  板金ケース
Ｃ２  カバー
Ｃ２０  樹脂カバー
Ｃ２１  板金カバー
【図１】
0005942440.tif 000002
【図２】
0005942440.tif 000003
【図３】
0005942440.tif 000004
【図４】
0005942440.tif 000005
【図５】
0005942440.tif 000006
【図６】
0005942440.tif 000007